(57)【特許請求の範囲】
【請求項１】
直流電源部（１５）と、
圧電素子（３〜６）の高位端と前記直流電源部（１５）の高位端との間に配設されて、負荷充電期間に前記直流電源部（１５）側から前記圧電素子（３〜６）に給電し、負荷放電期間に前記圧電素子（３〜６）から前記直流電源部（１５）側へ送電する昇圧部（８）と、
バッテリ（２）の高位端と前記圧電素子（３〜６）の高位端との間に配設されて、前記直流電源部（１５）を充電する直流電源部充電期間に前記バッテリ（２）から前記圧電素子（３〜６）の高位端に給電する逆電流阻止充電部（９）と、
を備え、
前記昇圧部（８）は、一端が前記圧電素子（３〜６）の高位端に接続されるチョークコイルと、前記チョークコイルの他端と前記直流電源部の高位端とを接続する充電スイッチと、前記チョークコイルの他端と低位電位端とを接続する放電スイッチとを有するチョッパ型ＤＣ−ＤＣ変換回路部により構成されている圧電素子駆動回路において、
前記逆電流阻止充電部（９）は、前記直流電源部充電期間に前記バッテリ（２）の高位端と前記圧電素子（３〜６）の高位端とを導通させ、前記負荷充電期間および前記負荷放電期間に前記バッテリ（２）の高位端と前記圧電素子（３〜６）の高位端との間の導通を遮断するトランジスタ並びにこのトランジスタと並列接続されたダイオードのみにより構成されていることを特徴とする圧電素子駆動回路。
【請求項２】
請求項１記載の圧電素子駆動回路において、
前記逆電流阻止充電部（９）は、前記圧電素子（３〜６）から前記直流電源部（１５）への逆流を遮断する向きに接続される寄生ダイオードを有するＭＯＳトランジスタのみからなる圧電素子駆動回路。
【請求項３】
請求項１又は２記載の圧電素子駆動回路において、
前記バッテリ（２）と逆電流阻止充電部（９）との間に介設されるローパスフィルタ（１０）を有する圧電素子駆動回路。
【発明の詳細な説明】
【０００１】
【発明の属する技術分野】
本発明は、圧電素子駆動回路に関する。
【０００２】
【従来の技術及び発明が解決しようとする課題】
従来の圧電素子を用いた燃料噴射用インジェクタ（以下、ピエゾインジェクタともいう）駆動のための圧電素子駆動回路を図８に示す。
【０００３】
１は圧電素子駆動回路、２はバッテリ、３〜６は圧電素子であり、圧電素子駆動回路１は、バッテリ２から給電されて必要な期間だけ出力ラインＬを通じて圧電素子３〜７に個別に高電圧を印加する制御を行う。
【０００４】
圧電素子駆動回路１は、昇圧部８、逆電流阻止充電部９、平滑部１０、気筒選択部１１、ＤＣ−ＤＣコンバータ１００を有している。
【０００５】
気筒選択部１１のＭＯＳトランジスタ１６〜１９のどれかをオンし、昇圧部８の充電スイッチ１３を断続すると、コンデンサ（電池でもよい）１５が圧電素子３〜６のいずれかを充電し、圧電素子３〜６のいずれかは燃料噴射弁を開く。昇圧部８の放電スイッチ１４を断続すると、圧電素子３〜６のいずれかは放電され、コンデンサ１５が部分的に充電される。圧電素子３〜６の放電は逆電流阻止充電部９を構成するダイオードのオンにより、出力ラインＬの電圧がバッテリ電圧よりダイオードの順方向電圧降下だけ低いレベルに達して終了する。コンデンサ１５は圧電素子３〜６の充電、放電を行わない期間に、ＤＣ−ＤＣコンバータ１００を駆動してコンデンサ１５を高圧に充電する。
【０００６】
特開２０００−２３６１２１号公報は、上記圧電素子駆動回路において、圧電素子駆動の放電駆動に続いて、出力ラインＬの電圧がバッテリ電圧よりもダイオードＤの順方向電圧降下だけ低いレベルに達した後も持続させることにより、バッテリ２からコンデンサ１５へ昇圧充電し、これによりＤＣ−ＤＣコンバータ１００を省略することを提案している。なお、この逆電流阻止充電部９を通じてコンデンサ１５を昇圧充電する動作は、上記した図８でもＤＣ−ＤＣコンバータ１００の運転前に実施可能である。以下、バッテリ２から逆電流阻止充電部９を通じてコンデンサ１５を昇圧充電する方式を、昇圧充電型圧電素子駆動回路と総称するものとする。
【０００７】
なお、上記公報では、逆電流阻止充電部９を上記ダイオードＤと直列に接続されたスイッチング素子を設けることにより、放電期間とその後の昇圧充電期間とのタイミングを所望のレベルに設定している。
【０００８】
しかしながら、上記した公報の昇圧充電型圧電素子駆動回路では、充電された圧電素子３〜６の高電圧により出力ラインＬからバッテリ２に電流が逆流するのを阻止する逆電流阻止充電部としてのダイオードＤに、バッテリ２がコンデンサ１５を充電する期間に大きな充電電流が流れ、その結果、このダイオードＤの順方向電圧降下損失が大きくなり、その発熱が大きくなるという問題があった。この問題は、この順方向電圧降下が抵抗電圧降下と異なって略一定であるために、ダイオードＤを大型化しても全く解決することができなかった。
【０００９】
また、この種の圧電素子駆動回路では、大容量の圧電素子３〜６を充放電するために出力ラインＬの電流変化が大きく、出力ラインＬから大きな電磁放射ノイズが生じるという問題があった。
【００１０】
更に、上記昇圧充電型圧電素子駆動回路では、放電スイッチ１４の断続駆動により生じた電流変化が逆電流阻止充電部９を通じてバッテリ２に至る長大な給電ケーブルを流れ、その結果、この給電ケーブルから放射される電磁放射ノイズが増大するという問題があった。
【００１１】
本発明は上記問題点に鑑みなされたものであり、優れた電気的特性をもつ圧電素子駆動回路を提供することをその目的としている。
【００１２】
【課題を解決するための手段】
本発明は、直流電源部（１５）と、圧電素子（３〜６）の高位端と前記直流電源部（１５）の高位端との間に配設されて、負荷充電期間に前記直流電源部（１５）側から前記圧電素子（３〜６）に給電し、負荷放電期間に前記圧電素子（３〜６）から前記直流電源部（１５）側へ送電する昇圧部（８）と、バッテリ（２）の高位端と前記圧電素子（３〜６）の高位端との間に配設されて、前記直流電源部（１５）を充電する直流電源部充電期間に前記バッテリ（２）から前記圧電素子（３〜６）の高位端に給電する逆電流阻止充電部（９）とを備え、前記昇圧部（８）は、一端が前記圧電素子（３〜６）の高位端に接続されるチョークコイルと、前記チョークコイルの他端と前記直流電源部の高位端とを接続する充電スイッチと、前記チョークコイルの他端と低位電位端とを接続する放電スイッチとを有するチョッパ型ＤＣ−ＤＣ変換回路部により構成されている圧電素子駆動回路において、前記逆電流阻止充電部（９）は、前記直流電源部充電期間に前記バッテリ（２）の高位端と前記圧電素子（３〜６）の高位端とを導通させ、前記負荷充電期間および前記負荷放電期間に前記バッテリ（２）の高位端と前記圧電素子（３〜６）の高位端との間の導通を遮断するトランジスタ並びにこのトランジスタと並列接続されたダイオードのみにより構成されていることを特徴としている。
【００１３】
すなわち、この発明では、直流電源部充電期間にバッテリから直流電源部へ流れる充電電流は、ダイオードを経由することなく三端子制御素子を通じて流れることができるので、このダイオードの順方向電圧降下に起因する逆電流阻止充電部の電力損失、発熱を大幅に低減することができる。
【００１４】
その好適態様において、前記三端子制御素子は、前記前記圧電素子から前記直流電源部への逆流を遮断する向きに接続される寄生ダイオードを有するＭＯＳトランジスタのみからなる。これにより、逆電流阻止充電部を簡素な回路構成により実現することができる。
【００１５】
好適な態様において、バッテリ（２）と逆電流阻止充電部（９）との間に介設されるローパスフィルタ（１０）を有する。
【００２７】
なお、上記説明では、電流変化速度の縮小によるノイズ低減効果のみを記載したが、同時にバッテリへの悪影響の低減効果やバッテリ給電電圧の変動低減効果を奏することができる。
【００２８】
【発明の実施の形態】
本発明の圧電素子駆動回路の好適な実施態様を以下に説明する。
【００２９】
【実施態様１】
実施態様１を図１を参照して以下に説明する。
（回路構成）
１は圧電素子駆動回路、２はバッテリ、３〜６は圧電素子であり、圧電素子駆動回路１は、バッテリ２から給電されて必要な期間だけ出力ラインＬを通じて圧電素子３〜７に個別に高電圧を印加する制御を行う。
【００３０】
圧電素子駆動回路１は、昇圧部８、逆電流阻止充電部９、平滑部１０、気筒選択部１１を有している。昇圧部８は、逆電流阻止充電部９を通じて給電された電圧を昇圧して出力ラインＬを通じて圧電素子３〜６の高位端に印加し、圧電素子３〜６の低位端は気筒選択部１１を通じて接地されている。
【００３１】
逆電流阻止充電部９は、バッテリ２から平滑部１０を通じて給電された直流電力を出力ラインＬを通じて逆電流阻止充電部９に給電する。この実施例では、逆電流阻止充電部９はＮＭＯＳトランジスタにより構成されているが、逆電流阻止充電部９を構成するＭＯＳトランジスタの寄生ダイオードは常に出力ラインＬからバッテリ２側への電流を阻止しする方向に接続される必要がある。
【００３２】
平滑部１０は、チョークコイルとコンデンサとからなる通常のローパスフィルタにより構成されており、バッテリ２側へのスイッチングノイズ電圧の遡流を阻止する。
【００３３】
気筒選択部１１は、たとえばＭＯＳトランジスタからなる４つのスイッチング素子１６〜１９により構成されており、各スイッチング素子の各一端は接地され、各他端は圧電素子３〜６の低位端に個別に接続されている。
【００３４】
昇圧部８は、充放電コイル１２、充電スイッチ１３、放電スイッチ１４、コンデンサ１５により構成されており、出力ラインＬは、充放電コイル１２、充電スイッチ１３を通じてコンデンサ１５の高位端に接続され、コンデンサ１５の低位端は接地されている。放電スイッチ１４の高位端は、充放電コイル１２と充電スイッチ１３との接続端Ｍに接続され、放電スイッチ１４の低位端は接地されている。充電スイッチ１３、放電スイッチ１４はＭＯＳトランジスタにより構成されており、充電スイッチ１３の寄生ダイオードは接続端Ｍからコンデンサ１５に通電する向きに配置され、放電スイッチ１４の寄生ダイオードは当然、接続端Ｍから接地への通電を阻止する向きに配置されている。
（動作）
図２に示す動作説明図、図３に示すタイミングチャートを参照してこの回路の動作を説明する。
【００３５】
時点t１にて、逆電流阻止充電部９がオフされると、図３のタイミングチャートでは図示省略しているが、充電スイッチ１３が所定周期でオンされ、コンデンサ１５から充電スイッチ１３、充放電コイル１２、出力ラインＬを通じて圧電素子３への充電が開始される。充電スイッチ１３がオフされると、充放電コイル１２に蓄積された磁気エネルギーを放電するべく放電スイッチ１４の寄生ダイオードを通じて圧電素子３の充電が次第に減衰しつつ行われ、圧電素子３の電圧が次第に増大する。なお、後述するように、充電スイッチ１３のオン期間は、コンデンサ１５の放電電流（圧電素子３の充電電流）の最大値を所定しきい値以下にするべくフィードバック制御されている。
【００３６】
時点ｔ２にて、充電スイッチ１３のスイッチング動作は終了し、この圧電素子３の充電電圧はこれ以上増加することはない。
【００３７】
時点t３にて、放電スイッチ１４が所定周期でオンされると、圧電素子３の充電電荷が放電される。気筒選択部１１のスイッチング素子１６はＭＯＳトランジスタにより構成されているため、この放電の経路は、接地、スイッチング素子１６の寄生ダイオード、圧電素子３、充放電コイル１２、放電スイッチ１４、接地となる。放電スイッチ１４がオフすると、充放電コイル１２に蓄積された磁気エネルギーを放電するべく充電スイッチ１３の寄生ダイオードを通じてコンデンサ１５の充電が次第に減衰しつつ行われ、圧電素子３の電圧が減少する（エネルギーの回収が行われる）。
【００３８】
出力ラインＬの電圧がバッテリ２の電圧以下（好適には等しく）となった時点ｔ４に至ると、逆電流阻止充電部をなすＭＯＳトランジスタ９がオンされ、出力ラインＬの電圧は略バッテリ電圧となる。なお、出力ラインＬの電位がバッテリ２の電位より約０．７５Ｖ以下となれば、逆電流阻止充電部９をなすＭＯＳトランジスタの寄生ダイオードを通じてバッテリ２は自動的に出力ラインＬをバッテリ電圧ー０．７５Ｖのレベルに維持する。
【００３９】
時点ｔ４以降において、放電スイッチ１４の周期断続動作が継続されているため、放電スイッチ１４のオン期間にはバッテリ２から平滑部１０、逆電流阻止充電部９、充放電コイル１２、放電スイッチ１４を通じて電流が流れて充放電コイル１２に蓄勢され、放電スイッチ１４のオフ期間には、充放電コイル１２に蓄積された磁気エネルギーを放出するべく接続端Ｍの電圧が高電圧となり、バッテリ２、平滑部１０、逆電流阻止部９、充放電コイル１２、充電スイッチ１３の寄生ダイオードを通じて電流が流れてコンデンサ１５が充電される。コンデンサ１５の電圧が回復した時点t５にて、この放電スイッチ１４によるコンデンサ１５充電動作は終了する。
【００４０】
これにより、圧電素子３により駆動される燃料噴射弁（図示せず）は、ほぼ時点t１〜t４期間にオンされ、ほぼ時点t４〜t５期間にオフされる。
【００４１】
なお、回路の動作開始直後においてはコンデンサ１５に所定電圧（約２００Ｖ）が蓄電されていないので、上記時点ｔ４〜時点ｔ５におけるコンデンサ１５蓄電動作を所定時間実施して、コンデンサ１５をこの所定電圧まで充電しておけばよい。
【００４２】
この実施例の特徴は、逆電流阻止充電部９として、図８に示す従来のスイッチング素子とダイオードとを直列接続回路又は単なるダイオードに代えて、ＭＯＳトランジスタ９を採用し、その寄生ダイオードを出力ラインＬからバッテリ２への通電を禁止する向きに接続する。すなわち、ＭＯＳトランジスタ９をＮＭＯＳトランジスタとする場合には、そのソース電極はバッテリ側、その高耐圧のドレイン電極は出力ラインＬ側に配置される。このようにすれば、バッテリ２からコンデンサ１５を充電する場合において、ＭＯＳトランジスタ９のチャンネル電圧降下を容易に約０．１Ｖ程度とすることができるので、上記従来技術における逆電流阻止充電部９のダイオード順方向電圧降下に起因する大きな電力損失を低減することができる。
【００４３】
なお、この実施例では、逆電流阻止充電部９として単一のＭＯＳトランジスタのみにより構成したが、同等の回路機能をもつ回路により構成することができることはもちろんである。
【００４４】
【実施態様２】
実施態様２を図４を参照して以下に説明する。
【００４５】
図４の回路は、図１の回路において、充放電コイル１２と直列に第二充放電コイル１２０を接続し、充放電コイル１２を第二充放電コイル１２０を通じて出力ラインＬに接続するとともに、出力ラインＬと接地との間にコンデンサ１２１を介設したものである。なお、充放電コイル１２と第二充放電コイル１２０とは実質的に同一のコアに巻装されることが簡単であり、この場合には、両充放電コイル１２、１２０をなす単一のコイルから中間端子を引き出してＭＯＳトランジスタ９のドレイン電極に接続すればよい。
【００４６】
このようにすれば、出力ラインＬからみて、第二充放電コイル１２０とコンデンサ１２１と、もしくは、充放電コイル１２および第二充放電コイル１２０とコンデンサ１２１とがローパスフィルタを構成するために、上記各種スイッチング素子の断続に起因する長大な出力ラインＬの電位変動および電流変動が低減され、その結果として、出力ラインＬから放射される電磁放射ノイズや静電ノイズを大幅に低減することができる。
【００４７】
この実施例では更に、バッテリ２からコンデンサ１５を昇圧充電する期間（時点ｔ４〜時点ｔ５）において、気筒選択部１１を構成するＭＯＳトランジスタ１６〜１９を遮断している。このようにすれば、この期間における出力ラインＬの電流を阻止することができるので、出力ラインＬの電磁放射ノイズを低減することができる。
【００４８】
（変形態様）
なお、上記実施例では、ＭＯＳトランジスタ９を両充放電コイル１２、１２０の接続点に接続したが、第二充放電コイル１２０を省略して充放電コイル１２をコンデンサ１２１の高位端に直接接続しても、上記したローパスフィルタ効果によって出力ラインＬから放射される電磁放射ノイズを低減することができる。
【００４９】
また、充放電コイル１２と第二充放電コイル１２０との接続点と接地との間にコンデンサを設けてもよい。
【００５０】
更に、昇圧部８と出力ラインＬとの間に介設されたこれらのローパスフィルタ回路による出力ラインＬのノイズ低減効果は、図７に示す従来の回路にも適用することができる。なお、この図６の回路は、図３に示す時点ｔ４〜時点ｔ５の間の昇圧充電動作が、放電スイッチ１４ではなくＤＣーＤＣコンバータ２００によりなされる点が、図１の回路と異なっている。
【００５１】
【実施態様３】
実施態様３を図４を参照して以下に説明する。
【００５２】
図４の回路において、放電スイッチ１４およびコンデンサ１５の低位端は、電流検出用低抵抗素子２０を通じて接地されている。
【００５３】
電流検出用低抵抗素子２０により検出したコンデンサ１５の放電電流および放電スイッチ１４の放電電流に基づいて行う放電スイッチ１４のフィードバック制御について、図５を参照して以下に説明する。
【００５４】
図５において、２１はコンパレータ、２２は参照電位（しきい値電位）源、２３はＡＮＤ回路である。
【００５５】
コンパレータ２１は、電流検出用低抵抗素子２０の電圧降下Ｖdisがしきい値電圧Ｖrefより大きくなったら（検出電流がしきい値電流を超えたら）、ローレベルを出力し、ＡＮＤ回路２３を通じて放電スイッチ１４をオフし、これにより、時点ｔ３〜時点ｔ５における圧電素子３〜６又は各部の放電電流を好適範囲に制限する。
【００５６】
また、ＡＮＤ回路２３には、気筒選択部１１のＭＯＳトランジスタ１６〜１９をオンさせる各入力信号のＮＯＲ値信号が入力されており、その結果、放電スイッチ１４は圧電素子３〜６の放電が行われる期間にのみ動作するので、入力信号が入力されていない期間は自動的に放電動作となる。
【００５７】
【実施態様４】
実施態様４を図６を参照して以下に説明する。
【００５８】
この実施態様は、図５の回路に示すコンパレータ２１を省略し、コンパレータ２４〜２７、３３、ＲＳフリップフロップ２８、ＡＮＤ回路２９〜３１、ＯＲ回路３２７を追加したものである。なお、この回路の動作を示すタイミングチャートを図７に示す。図７は、図３に示すタイミングチャートにおいて、ＭＯＳトランジスタ９、放電スイッチ１４の動作を変更したものであり、その要旨は、負荷放電期間（時点t３〜時点t４）から、コンデンサ充電期間（時点t４〜時点t５）への切り替えによる急峻な電流変化を低減して、両期間の切り替わり時点における電磁波放射ノイズを低減すること、および、これらコンデンサ充電期間（ＤＣ／ＤＣ充電期間とも言う）の電流を負荷放電期間の電流よりも低減することによりコンデンサ充電期間における電磁波放射ノイズを低減することにある。
【００５９】
図７に示すタイミングチャートを参照してこの回路の動作を説明する。
【００６０】
時点t１にて、気筒選択部１１のＭＯＳトランジスタ１６のオン期間を決定する入力信号がハイレベルとなって気筒選択部１１のスイッチング素子１６がオンされ、気筒選択部１１のＭＯＳトランジスタ１６のオン期間を決定する逆電流阻止充電部９がオフされ、続いて充電スイッチ１３が所定周期でオンされる。これにより、コンデンサ１５から充電スイッチ１３、充放電コイル１２、出力ラインＬを通じて圧電素子３への充電が開始される。充電スイッチ１３がオフされると、充放電コイル１２に蓄積された磁気エネルギーを放電するべく放電スイッチ１４の寄生ダイオードを通じて圧電素子３の充電が次第に減衰しつつ行われ、圧電素子３の電圧が次第に増大する。
【００６１】
時点ｔ２にて、コンデンサ１５の電圧が所定レベルに達したことを図示しないコンパレータにより検出すると充電スイッチ１３のスイッチング動作は終了し、圧電素子３の充電電圧はこれ以上増加することはない。
【００６２】
時点t３にて、気筒選択部１１のＭＯＳトランジスタ１６のオン期間を決定する入力信号がローレベルになると、気筒選択部１１のスイッチング素子１６がオフされ、放電スイッチ１４が所定周期でオンされ、圧電素子３の充電電荷が放電される。気筒選択部１１のスイッチング素子１６はＭＯＳトランジスタにより構成されているため、この放電の経路は、接地、スイッチング素子１６の寄生ダイオード、圧電素子３、充放電コイル１２、放電スイッチ１４、接地となる。放電スイッチ１４がオフすると、充放電コイル１２に蓄積された磁気エネルギーを放電するべく充電スイッチ１３の寄生ダイオードを通じてコンデンサ１５の充電が次第に減衰しつつ行われ、圧電素子３の電圧が減少する（エネルギーの回収が行われる）。
【００６３】
時点ｔ４にて、放電電流が略０にまで減衰したことをコンパレータ２６により検出すると、フリップフロップ２８の出力がハイレベル状態とされる。コンパレータ２７、３３はウインドコンパレータを構成しており、出力ラインＬの電圧ＶＬがしきい値電圧Ｖref４〜しきい値電圧Ｖref５の間にある場合だけハイレベルとなる。また、気筒選択部１１のＭＯＳトランジスタ１６〜１９を駆動する入力信号のＮＯＲ信号がＡＮＤ回路２９に入力され、結局、図７に示すＤＣ／ＤＣ充電期間の間だけ、逆電流阻止充電部９がオンされる。出力ラインＬの電圧ＶＬがしきい値電圧Ｖref５を超えると、フリップフロップ２８がリセットされる。
【００６４】
放電スイッチ１４は、このＤＣ／ＤＣ充電期間に周期駆動され、放電スイッチ１４がオンすると、バッテリ２からコンデンサ１５への充電が開始され、コンデンサ１５が充電される。すなわち、時点ｔ４以降にて、放電スイッチ１４の周期断続動作が継続されているため、放電スイッチ１４のオン期間にはバッテリ２から平滑部１０、逆電流阻止充電部９、充放電コイル１２、放電スイッチ１４を通じて電流が流れて充放電コイル１２に蓄勢され、放電スイッチ１４のオフ期間には、充放電コイル１２に蓄積された磁気エネルギーを放出するべく接続端Ｍの電圧が高電圧となり、バッテリ２、平滑部１０、逆電流阻止部９、充放電コイル１２、充電スイッチ１３の寄生ダイオードを通じて電流が流れてコンデンサ１５が充電される。
【００６５】
時点t５にて、コンデンサ１５の電圧すなわち出力ラインＬの電圧が所定レベルＶref５にまで回復したことをコンパレータ３３により検出すると、逆電流阻止充電部のＭＯＳトランジスタ９はオフされて、コンデンサ１５の充電動作は終了する。
【００６６】
次に、負荷放電期間とコンデンサ充電期間とにおける最大電流の切り替えについて以下に説明する。
【００６７】
コンパレータ２４、２５は電流検出用低抵抗素子２０の電圧降下としきい値Ｖref１、Ｖref３とを比較する。ＡＮＤ回路３１は、逆電流阻止充電部をなすＭＯＳトランジスタ９がオンする期間（コンデンサ充電期間）にコンパレータ２４の出力をＯＲ回路３２を通じて放電スイッチ１４に出力し、ＡＮＤ回路３０は、逆電流阻止充電部をなすＭＯＳトランジスタ９がオフする期間（コンデンサ充電期間以外の期間）にコンパレータ２５の出力をＯＲ回路３１を通じて放電スイッチ１４に出力する。しきい値電圧Ｖref１は、しきい値電圧Ｖref３より所定量だけ小さく設定されており、これにより、コンデンサ充電期間における最大電流は負荷放電期間におけるそれよりも小さく設定されている。
【００６８】
（変形態様）
上記説明した各回路は、同等の効果を奏する他の回路形式又はソフトウエアにより代替することができることは当然である。
【図面の簡単な説明】
【図１】実施例の圧電素子駆動回路を示す回路図である。
【図２】図１の圧電素子駆動回路の動作を示す動作説明用模式回路図である。
【図３】図１の圧電素子駆動回路の動作を示すタイミングチャートである。
【図４】他の実施例の圧電素子駆動回路を示す回路図である。
【図５】図４の圧電素子駆動回路の動作を示す動作説明用模式回路図である。
【図６】他の実施例の圧電素子駆動回路を示す回路図である。
【図７】図６の圧電素子駆動回路の動作を示すタイミングチャートである。
【図８】従来の圧電素子駆動回路を示す回路図である。
【符号の説明】
１  圧電素子駆動回路
２  バッテリ
３〜６  圧電素子
８      昇圧部
９      ＭＯＳトランジスタ（逆電流阻止充電部）
１１    気筒選択部
１２    チョークコイル（充放電コイル）
１３    充電スイッチ
１４    放電スイッチ
１５    コンデンサ（直流電源部）
１６〜１９  ＭＯＳトランジスタ（気筒選択部のスイッチ）
【図１】
0004045834.tif 000002
【図２】
0004045834.tif 000003
【図３】
0004045834.tif 000004
【図４】
0004045834.tif 000005
【図５】
0004045834.tif 000006
【図６】
0004045834.tif 000007
【図７】
0004045834.tif 000008
【図８】
0004045834.tif 000009